(57)【特許請求の範囲】
【請求項１】
床部と、
前記床部の歯肉部分に対し段部をもって区画され、人工歯が装着されるソケットと、
前記歯肉部分のうち、歯列に沿って前記ソケットの両端に位置するとともに隣接する歯との間の歯間乳頭に相当する歯間乳頭部分と、を有し、
前記ソケットを上向きにした状態において、
前記ソケットの基底面は、両端の歯間乳頭部分の間を連結する尾根状を呈するソケット頂部を有するとともに全体として凸な面で構成され、
前記基底面の辺縁部分は、前記段部と互いに連続的に当接し、
隣接する前記歯間乳頭部分の最高点を結ぶ直線ａと、唇側のソケット下端部を通り前記直線ａに平行な直線ｂとの距離をＤ１とし、かつ、前記直線ｂに平行で前記ソケット頂部を通る直線ｃと、前記直線ｂとの距離をＤ２としたとき、Ｄ１：Ｄ２が１：１．２〜１：０．８であるか、又は、ソケット頂部が歯間乳頭部分の頂部より高い位置にある、義歯床。
【請求項２】
床部と、
前記床部の歯肉部分に対し段部をもって区画され、人工歯が装着されるソケットと、
前記歯肉部分のうち、歯列に沿って前記ソケットの両端に位置するとともに隣接する歯との間の歯間乳頭に相当する歯間乳頭部分と、を有し、
前記ソケットを上向きにした状態において、
前記ソケットの基底面は、両端の歯間乳頭部分の間を連結する尾根状を呈するソケット頂部を有するとともに全体として凸な面で構成され、
前記基底面の辺縁部分は、前記段部と互いに連続的に当接し、
前記ソケット頂部は、前記ソケットに人工歯を装着した状態で唇側から視認される歯間乳頭部分の頂部とほぼ同じ高さ又はより上に位置しており、
前記ソケット頂部から唇面側の基底面は、唇側に向かって傾斜が下がる凸形状に形成されている、義歯床。
【請求項３】
床部と、
前記床部の歯肉部分に対し段部をもって区画され、人工歯が装着されるソケットと、
前記歯肉部分のうち、歯列に沿って前記ソケットの両端に位置するとともに隣接する歯との間の歯間乳頭に相当する歯間乳頭部分と、を有し、
前記ソケットを上向きにした状態において、
前記ソケットの基底面は、両端の歯間乳頭部分の間を連結する尾根状を呈するソケット頂部を有するとともに全体として凸な面で構成され、
前記基底面の辺縁部分は、前記段部と互いに連続的に当接し、
前記ソケット頂部は、前記ソケットに人工歯を装着した状態で唇側から視認される歯間乳頭部分の頂部とほぼ同じ高さ又はより上に位置しており、
前記ソケット頂部から舌面側の前記基底面は、舌側に向かって傾斜が下がる凸形状に形成されている、義歯床。
【請求項４】
前記ソケット頂部から舌面側の前記基底面も、舌側に向かって傾斜が下がる凸形状に形成されている、請求項２に記載の義歯床。
【請求項５】
前記基底面において、前記ソケット頂部から上方に突出する突起部を有する、請求項４に記載の義歯床。
【請求項６】
前記ソケットが複数個、前記床部において隣接して形成されているとともに、
前記基底面を有するソケットが、前記複数個のソケットのうちの少なくとも１つである、請求項１から５までのいずれか１項に記載の義歯床。
【請求項７】
義歯床用材料を切削して請求項１から請求項６までのいずれか１項に記載の義歯床を得る切削工程を有する義歯床の製造方法。
【請求項８】
前記切削工程には、ＣＡＤシステムユニットにより設計されたデザインをＣＡＭシステムユニットを用いて成形する工程（ＣＡＤ／ＣＡＭ工程）を含む、請求項７に記載の義歯床の製造方法。
【請求項９】
前記ＣＡＤ／ＣＡＭ工程において前記ソケットが形成される、請求項８に記載の義歯床の製造方法。
【請求項１０】
請求項１から請求項６までのいずれか１項に記載の義歯床を３Ｄプリントにより成形する成形工程を有する義歯床の製造方法。
【請求項１１】
咬合面を上にしたときに、義歯床のソケットに接着される基底面が、歯列に沿った両端を連結する谷状を呈する基底面頂部を有するともに全体として凹な面で構成され、
唇側表面及び舌側表面は、前記ソケットに装着された後でも各々下端縁までが視認可能な連続面として形成されており、
前記基底面頂部から唇面側の基底面は、唇側に向かって傾斜が下がる凹形状に形成されている、人工歯。
【請求項１２】
咬合面を上にしたときに、義歯床のソケットに接着される基底面が、歯列に沿った両端を連結する谷状を呈する基底面頂部を有するともに全体として凹な面で構成され、
唇側表面及び舌側表面は、前記ソケットに装着された後でも各々下端縁までが視認可能な連続面として形成されており、
前記基底面頂部から舌面側の基底面は、舌側に向かって傾斜が下がる凹形状に形成されている、人工歯。
【請求項１３】
前記基底面頂部から舌面側の基底面も、舌側に向かって傾斜が下がる凹形状に形成されている、請求項１１に記載の人工歯。
【請求項１４】
前記基底面頂部の中央部に陥凹部を有する、請求項１３に記載の人工歯。
【請求項１５】
前記基底面が、請求項２又は請求項２に従属する請求項６に記載の義歯床のソケットと嵌合可能に構成されている、請求項１１に記載の人工歯。
【請求項１６】
前記基底面が、請求項４又は請求項４に従属する請求項６に記載の義歯床のソケットと嵌合可能に構成されている、請求項１３に記載の人工歯。
【請求項１７】
前記基底面が、請求項５又は請求項５に従属する請求項６に記載の義歯床のソケットと嵌合可能に構成されている、請求項１４に記載の人工歯。
【請求項１８】
前記基底面頂部が人工歯の側面方向から視認可能に構成されている、請求項１１から請求項１７までのいずれか１項に記載の人工歯。
【請求項１９】
射出成形により請求項１１から請求項１８までのいずれか１項に記載の人工歯を得る成形工程を有する人工歯の製造方法。
【請求項２０】
人工歯用材料を切削して請求項１１から請求項１８までのいずれか１項に記載の人工歯を得る切削工程を有する人工歯の製造方法。
【請求項２１】
請求項１１から請求項１８までのいずれか１項に記載の人工歯を３Ｄプリントにより成形する成形工程を有する人工歯の製造方法。
【請求項２２】
請求項２に記載の義歯床と、前記義歯床の前記ソケットに装着された、請求項１１に記載の人工歯と、を備える有床義歯。
【請求項２３】
前記ソケットが複数個、前記床部において隣接して形成されているとともに、
前記ソケットの各々に装着される前記人工歯が連結されている、請求項２２に記載の有床義歯。
【請求項２４】
義歯床用材料を切削して請求項２に記載の義歯床を得る切削工程と、
前記義歯床の前記ソケットに請求項１１に記載の人工歯を装着する装着工程と、
を有する有床義歯の製造方法。
【請求項２５】
３Ｄプリントにより請求項２に記載の義歯床を得る工程と、
前記義歯床の前記ソケットに請求項１１に記載の人工歯を装着する装着工程と、
を有する有床義歯の製造方法。
【発明の詳細な説明】
【技術分野】
【０００１】
本発明は、義歯床及びその製造方法、人工歯及びその製造方法並びに有床義歯及びその製造方法に関する。
【背景技術】
【０００２】
デンチャー（有床義歯）において従来から行われている、上型と下型とから構成される石膏型中に硬化性樹脂を流し込み、次いで硬化性樹脂を硬化（たとえば、光重合、熱重合など）させる方法では、人工歯は義歯床のレジン部に埋設されて固定されていた（特開２００８−２８９８３９号公報及び実用新案登録第３０６４１３８号公報参照）。【０００３】
また、ＣＡＤ／ＣＡＭ法により作製されるデンチャーにおいては、ＣＡＤ／ＣＡＭにより切削された義歯床のソケット部に人工歯を嵌め込み、接着して固定されている（特開２０１４−１５５８７８号公報参照）。
【発明の概要】
【発明が解決しようとする課題】
【０００４】
従来法で得られる義歯床も、ＣＡＤ／ＣＡＭ法で得られる義歯床も、固定のため義歯床中に人工歯が埋設されている。有床義歯を必要とする患者は顎堤の高さがまちまちである。特に、顎堤の高い患者に対する有床義歯は装着感と咬合感を両立させるため、人工歯の直下の部分について義歯床の厚みが十分に確保できないことがある。しかしながら、義歯床の厚みを薄くすると、人工歯のカラー部（すなわち、義歯床中に埋没する部分）が患者の顎堤に触れてしまうおそれがある。したがって、該カラー部をあらかじめ切削する必要があり、有床義歯製作上の負荷が大きくなっていた。【０００５】
本発明の一実施形態は上記事実に鑑み、製造上の負担を軽減可能な義歯床及びそれに埋設される人工歯並びにこれらを備えた有床義歯の提供を目的する。
【課題を解決するための手段】
【０００６】
前記課題を解決するための手段には、以下の態様が含まれる。
＜１＞  床部と、
前記床部の歯肉部分に対し段部をもって区画され、人工歯が装着されるソケットと、
前記歯肉部分のうち、歯列に沿って前記ソケットの両端に位置するとともに隣接する歯との間の歯間乳頭に相当する歯間乳頭部分と、を有し、
前記ソケットを上向きにした状態において、
前記ソケットの基底面は、両端の歯間乳頭部分の間を連結する尾根状を呈するソケット頂部を有するとともに全体として凸な面で構成され、
前記基底面の辺縁部分は、前記段部と互いに連続的に当接し、
前記ソケット頂部は、前記ソケットに人工歯を装着した状態で唇側から視認される歯間乳頭部分の頂部とほぼ同じ高さ又はより上に位置している、義歯床。
＜２＞  前記ソケット頂部から唇面側の基底面は、唇側に向かって傾斜が下がる凸形状に形成されている、＜１＞に記載の義歯床。
＜３＞  前記ソケット頂部から舌面側の前記基底面も、舌側に向かって傾斜が下がる凸形状に形成されている、＜２＞に記載の義歯床。
＜４＞  前記基底面において、前記ソケット頂部から上方に突出する突起部を有する、＜３＞に記載の義歯床。
＜５＞  前記ソケットが複数個、前記床部において隣接して形成されているとともに、
前記基底面を有するソケットが、前記複数個のソケットのうちの少なくとも１つである、＜１＞から＜４＞までのいずれか１つに記載の義歯床。【０００７】
＜６＞  義歯床用材料を切削して＜１＞から＜５＞までのいずれか１つに記載の義歯床を得る切削工程を有する義歯床の製造方法。
＜７＞  前記切削工程には、ＣＡＤにより設計されたデザインをＣＡＭにより切削する工程（ＣＡＤ／ＣＡＭ工程）を含む、＜６＞に記載の義歯床の製造方法。
＜８＞  前記ＣＡＤ／ＣＡＭ工程において前記ソケット部が形成される、＜７＞に記載の義歯床の製造方法。
＜９＞  ＜１＞から＜５＞までのいずれか１つに記載の義歯床を３Ｄプリントにより成形する成形工程を有する義歯床の製造方法。【０００８】
＜１０＞  咬合面を上にしたときに、義歯床のソケットに接着される基底面が、歯列に沿った両端を連結する谷状を呈する基底面頂部を有するともに全体として凹な面で構成され、
唇側表面及び舌側表面は、前記ソケットに装着された後でも各々下端縁までが視認可能な連続面として形成されている、人工歯。
＜１１＞  前記基底面頂部から唇面側の基底面は、唇側に向かって傾斜が下がる凹形状に形成されている、＜１０＞に記載の人工歯。
＜１２＞  前記基底面頂部から舌面側の前記基底面も、舌側に向かって傾斜が下がる凹形状に形成されている、＜１１＞に記載の人工歯。
＜１３＞  前記基底面頂部の中央部に陥凹部を有する、＜１２＞に記載の人工歯。
＜１４＞  前記基底面が、＜１＞又は＜１＞に従属する＜５＞に記載の義歯床のソケットと嵌合可能に構成されている、＜１０＞に記載の人工歯。
＜１５＞  前記基底面が、＜２＞又は＜２＞に従属する＜５＞に記載の義歯床のソケットと嵌合可能に形成されている、＜１１＞に記載の人工歯。
＜１６＞  前記基底面が、＜３＞又は＜３＞に従属する＜５＞に記載の義歯床のソケットと嵌合可能に形成されている、＜１２＞に記載の人工歯。
＜１７＞  前記基底面が、＜４＞又は＜４＞に従属する＜５＞に記載の義歯床のソケットと嵌合可能に形成されている、＜１３＞に記載の人工歯。
＜１８＞  前記基底面頂部が人工歯の側面方向から視認可能に構成されている、＜１０＞から＜１７＞までのいずれか１つに記載の人工歯。
【０００９】
＜１９＞射出成形により＜１０＞から＜１８＞までのいずれか１つに記載の人工歯を得る成形工程を有する人工歯の製造方法。
＜２０＞人工歯用材料を切削して＜１０＞から＜１８＞までのいずれか１つに記載の人工歯を得る切削工程を有する人工歯の製造方法。
＜２１＞＜１０＞から＜１８＞までのいずれか１つに記載の人工歯を３Ｄプリントにより成形する成形工程を有する人工歯の製造方法。【００１０】
＜２２＞  ＜１＞に記載の義歯床と、前記義歯床の前記ソケットに装着された、＜１０＞に記載の人工歯と、を備える有床義歯。
また、＜２＞に記載の義歯床と、前記義歯床の前記ソケットに装着された、＜１１＞に記載の人工歯と、を備える有床義歯。
また、＜３＞に記載の義歯床と、前記義歯床の前記ソケットに装着された、＜１２＞に記載の人工歯と、を備える有床義歯。
また、＜４＞に記載の義歯床と、前記義歯床の前記ソケットに装着された、＜１３＞に記載の人工歯と、を備える有床義歯。【００１１】
＜２３＞  前記ソケットが複数個、前記床部において隣接して形成されているとともに、前記ソケットの各々に装着される前記人工歯が連結されている、＜２２＞に記載の有床義歯。【００１２】
＜２４＞  義歯床用材料を切削して＜１＞に記載の義歯床を得る切削工程と、前記義歯床の前記ソケットに＜１０＞に記載の人工歯を装着する装着工程と、を有する有床義歯の製造方法。
また、義歯床用材料を切削して＜２＞に記載の義歯床を得る切削工程と、前記義歯床の前記ソケットに＜１１＞に記載の人工歯を装着する装着工程と、を有する有床義歯の製造方法。
また、義歯床用材料を切削して＜３＞に記載の義歯床を得る切削工程と、前記義歯床の前記ソケットに＜１２＞に記載の人工歯を装着する装着工程と、を有する有床義歯の製造方法。
また、義歯床用材料を切削して＜４＞に記載の義歯床を得る切削工程と、前記義歯床の前記ソケットに＜１３＞に記載の人工歯を装着する装着工程と、を有する有床義歯の製造方法。
さらに、前記ソケットが複数個、前記床部において隣接して形成されているとともに、前記基底面を有するソケットが、前記複数個のソケットのうちの少なくとも１つである、これらのいずれかの有床義歯の製造方法。【００１３】
＜２５＞  ３Ｄプリントにより＜１＞に記載の義歯床を得る工程と、前記義歯床の前記ソケットに＜１０＞に記載の人工歯を装着する装着工程と、を有する有床義歯の製造方法。
また、３Ｄプリントにより＜２＞に記載の義歯床を得る工程と、前記義歯床の前記ソケットに＜１１＞に記載の人工歯を装着する装着工程と、を有する有床義歯の製造方法。
また、３Ｄプリントにより＜３＞に記載の義歯床を得る工程と、前記義歯床の前記ソケットに＜１２＞に記載の人工歯を装着する装着工程と、を有する有床義歯の製造方法。
また、３Ｄプリントにより＜４＞に記載の義歯床を得る工程と、前記義歯床の前記ソケットに＜１３＞に記載の人工歯を装着する装着工程と、を有する有床義歯の製造方法。
さらに、前記ソケットが複数個、前記床部において隣接して形成されているとともに、前記基底面を有するソケットが、前記複数個のソケットのうちの少なくとも１つである、これらのいずれかの有床義歯の製造方法。
【発明の効果】
【００１４】
本発明の一実施形態は、上記のように構成されているので、製造上の負担を軽減可能な義歯床及びそれに埋設される人工歯並びにこれらを備えた有床義歯が提供できる。具体的には、たとえば、人工歯が義歯床に埋設される部分が少ないため、顎堤が高い患者向けの有床義歯でも人工歯を切削する工程を大幅に減らし、あるいはなくすことができる。また、義歯床の基底面が凸形状になるために人工歯との接着面積が増大し、人工歯の固定力を上げることができる。
【図面の簡単な説明】
【００１５】
【図１Ａ】第一実施形態の義歯床を、ソケットを上向きにした状態で正面やや上方から見た斜視図である。
【図１Ｂ】図１Ａに対しやや右側面寄りから見た斜視図である。
【図２Ａ】第一実施形態の義歯床の一部の斜視図（Ａ）である。
【図２Ｂ】図２ＡにおけるII−II断面図である。
【図２Ｃ】図２Ｂの変形例である。
【図２Ｄ】図２Ｂの変形例である。
【図２Ｅ】図２Ｂの変形例である。
【図３】第一実施形態の義歯床のソケットに人工歯を装着した状態を模式的に示す正面図である。
【図４Ａ】第一実施形態の人工歯の正面図である。
【図４Ｂ】第一実施形態の人工歯のやや背面寄りの側面図（Ｂ）である。
【図４Ｃ】第一実施形態の人工歯のやや側面寄りの背面図（Ｃ）である。
【図４Ｄ】図４ＡにおけるIV−IV断面図である。
【図４Ｅ】図４Ｄの変形例である。
【図４Ｆ】図４Ｄの変形例である。
【図４Ｇ】図４Ｄの変形例である。
【図５】第一実施形態の義歯床のソケットに人工歯を装着した状態を示す正面図である。
【図６】第一実施形態の有床義歯を示す斜視図である。
【図７Ａ】図６におけるVII−VII断面図である。
【図７Ｂ】図７Ａと対比した比較例の断面図である。
【図８Ａ】第二実施形態の義歯床の一部の正面図である。
【図８Ｂ】第二実施形態の義歯床の一部の背面斜視図である。
【図９Ａ】第二実施形態の人工歯の正面図である。
【図９Ｂ】第二実施形態の人工歯の下方斜視図である。
【図１０】第二実施形態の有床義歯を示す、図８Ａ及び図９ＡにおけるX−X断面図である。
【図１１Ａ】第三実施形態の義歯床の一部の正面図である。
【図１１Ｂ】第三実施形態の義歯床の一部の背面斜視図である。
【図１２Ａ】第三実施形態の人工歯の正面図である。
【図１２Ｂ】第三実施形態の人工歯の下方斜視図である。
【図１３】第三実施形態の有床義歯を示す、図１１Ａ及び図１２ＡにおけるXIII−XIII断面図である。
【図１４】第四実施形態の有床義歯を示す斜視図である。
【図１５Ａ】ソケットに人工歯を装着した状態で唇側から視認される歯間乳頭部分１１４の頂部の高さを示す図である。
【図１５Ｂ】ソケットに人工歯を装着した状態で唇側から視認される歯間乳頭部分１１４の頂部の高さを示す図である。
【図１５Ｃ】ソケットに人工歯を装着した状態で唇側から視認される歯間乳頭部分１１４の頂部の高さを示す図である。
【図１６】第一実施形態の変形例を示した、図６のVII−VII断面図（Ａ）に対応した断面図である。
【発明を実施するための形態】
【００１６】
以下、本発明の各実施形態を図面を参照しつつ説明する。なお、以下で言及する全図面を通じて、同じ符号は同じ部材を表す。
【００１７】
［第一実施形態］
（有床義歯の構成）
図６に示すように、第一実施形態に係る有床義歯３００は、義歯床１００と、この義歯床１００の床部１０２に装着された複数の人工歯２００を含む。また、床部１０２のうち、人工歯２００が装着された状態で歯肉として視認される部分を歯肉部分１１０と称する。なお、図６では、上顎用の有床義歯３００を示しているが、もちろん、下顎用の有床義歯及び義歯床であってもよい。
【００１８】
（義歯床の構成）
図１Ａ及び図１Ｂに示すように、義歯床１００は、人工歯２００が装着される部位である床部１０２を有する。床部１０２には、人工歯２００（図６参照）が載置されて固定される複数のソケット１２０が歯列に沿って隣接して形成されている。なお、図１Ａ及び図１Ｂの義歯床１００は、ソケット１２０を上向きにした状態で示してある。義歯床１００に関する以後の説明において言及する上下方向及び高低は、全てこの図１Ａ及び図１Ｂに示した状態での上下方向及び高低に従っている。また、図１Ａ中、Ｄ−Ｄ間の湾曲した破線で示した矢印が、歯列に沿った方向を示す。さらに、Ｌで示す矢印の方向が唇側又は頬側を示し、Ｔで示す矢印の方向が舌側を示す。以後の説明で言及する「歯列に沿った方向」、「唇側」（本願発明では、特に断らない限り、「頬側」も含んだ概念としてこのように表現する）及び「舌側」はそれぞれこれらの図１Ａ中の矢印で示した方向を表す。以下の図中でも適宜この矢印によって方向が示されている。
【００１９】
図２Ａに示すように、ソケット１２０は、歯肉部分１１０とは段部１１２をもって明瞭に区画されている。換言すると、ソケット１２０は、歯肉部分１１０に対し段部１１２の高さ分だけ表面が低くなっている。
【００２０】
また、各ソケット１２０の歯列に沿った両端には、歯肉部分１１０が段部１１２の高さ分だけ高くなった歯間乳頭部分１１４が形成されている。この歯間乳頭部分１１４とは、ソケット１２０に装着される人工歯２００と、隣接する歯との間で歯間乳頭を形成する部分を含む。なお、ここでいう隣接する「歯」とは、隣接する人工歯２００を意味するが、有床義歯３００が部分義歯であれば、当該部分義歯が隣接する自然歯である場合もある。
【００２１】
ソケット１２０において人工歯２００が固定される面である基底面１３０は、当該ソケット１２０の両端に位置する歯間乳頭部分１１４の間を連結するような尾根状を呈している。この尾根状の部分をソケット頂部１３８と称する。換言すると、ソケット頂部１３８は、ソケット１２０の基底面１３０のうちもっとも高い箇所をいう。なお、ソケット頂部１３８に関して言及されている「尾根状」とは、図中のようにソケット１２０を上向きにした状態として表現されるものである。したがって、この義歯床１００が有床義歯３００の一部として実際に口腔中に装着された場合には、上顎用の有床義歯３００の場合はこの「尾根」は一番低い位置にあり、下顎用の有床義歯３００の場合は逆に一番高い位置にあることになる。
【００２２】
ソケット１２０の基底面１３０は、このソケット頂部１３８を含めて全体として凸な面で構成されている。ここで、「全体として凸な面」とは、基本的には全体が凸な立体形状であるということを意味し、全体が凸曲面で形成されていることが望ましいが、その一部に平坦面を含んでいても、また、複数の平坦面の組み合わせで全体が凸形状に形成されていてもよい、ということを意味する。
【００２３】
ソケット１２０の唇側の基底面１３２は、図２Ｂに示すように、唇側に向かって傾斜が下がる凸形状に形成されている。なお、図２Ｃの変形例に示すように、唇側の基底面１３２は平坦面として形成されていてもよい。また、舌側の基底面１３４も、舌側に向かって傾斜が下がる凸形状に形成されている。なお、図２Ｄの変形例に示すように、舌側の基底面１３４は平坦面として形成されていてもよい。さらに、図２Ｅの変形例に示すように、基底面１３０が全体として凸形状であれば、唇側の基底面１３２及び舌側の基底面１３４の両方が平坦面として形成されていてもよい。
【００２４】
ソケット１２０の基底面１３０の辺縁部分１３６は、図２Ｂに示すように、唇側及び舌側のいずれにおいても、歯肉部分１１０の段部１１２と互いに連続的に当接している。すなわち、当該辺縁部分１３６は、当該段部１１２との間に溝や谷部のような陥凹構造を介在させることなく、当該辺縁部分１３６が直接、当該段部１１２と接していることとなっている。また、当該段部１１２も、当該辺縁部分１３６との間に溝やポケットのような陥凹構造を介在させることなく、当該段部１１２が直接、当該辺縁部分１３６と接していることとなっている。このことを上記のように「互いに連続的に当接している」と表現している。
【００２５】
ここで、図３は、一部のソケット１２０に人工歯２００が装着されている様子を正面視にて模式的に示すものである。本図に示すように、歯肉部分１１０の歯間乳頭部分１１４は、ソケット頂部１３８の高さに対して、段部１１２の分だけ幾分高くなっている。しかし、この部分は、隣接する２本の人工歯２００が装着されるとその間に隠れて唇側からは視認することができない。そして、隣接する２本の人工歯２００の間に位置する歯間乳頭部分１１４で唇側から視認できる部分（すなわち、図中の歯間乳頭Ｐ）の一番高い部分である頂部１１６の高さは、ソケット頂部１３８の高さとほぼ同じである。ここで、ソケット頂部１３８の高さと歯間乳頭部分１１４の頂部１１６の高さとがほぼ同じである、とは、両者の高さが一見して同じであると認識できればよい、という趣旨であり、厳密に同じ高さであることまでを要求するものではない。よって、現実にはいずれかの一方がわずかながら他方よりも高い、という場合があってもよい。
【００２６】
なお、ソケット１２０に人工歯２００を装着した状態で唇側から視認される歯間乳頭部分１１４の頂部１１６の高さについて、図１５Ａ、図１５Ｂ及び図１５Ｃを用いて具体的に説明する。
【００２７】
図１５Ａにおいて、直線ａは、隣接する歯間乳頭部分１１４の最高点を通る直線である。直線ｂは、ソケット下端部１３９を通り、かつ、前記直線ａと平行な直線である。面Ｓ１は、隣接する前記直線ａ及び前記直線ｂを通る面である。さらに、距離Ｄ１は、直線ａと直線ｂとの距離である。
【００２８】
一方、図１５Ｂにおいて、直線ｃは、前記直線ｂと平行で、かつ、ソケット頂部１３８を通る直線である。また、面Ｓ２は、前記直線ｂ及び前記直線ｃを通る面である。さらに、距離Ｄ２は、直線ｂと直線ｃとの距離である。なお、面Ｓ１と面Ｓ２とは、必ずしも同一平面であるとは限らない。
【００２９】
そして、ソケット頂部１３８がソケットに人工歯を装着した状態で唇側から視認される歯間乳頭部分１１４の頂部１１６の高さとがほぼ同じである、とは、図１５Ｃにおいて、前記直線ｂから歯間乳頭部分１１４の頂部１１６までの距離Ｄ３が、前記距離Ｄ２とほぼ同じである、ということを意味する。このことを、前記距離Ｄ１及び距離Ｄ２を参照して、Ｄ１：Ｄ２が１：１．２〜１：０．８である場合、好ましくは１：１．１〜１：０．９である場合、より好ましくは１：１〜１：０．９５である場合をもって、前記距離Ｄ３が前記距離Ｄ２とほぼ同じである、と定義することができる。
【００３０】
なお、本実施形態では、ソケット頂部１３８が、ソケット１２０に人工歯を装着した状態で唇側から視認される歯間乳頭部分１１４の頂部１１６とほぼ同じ高さである場合を示したが、ソケット頂部１３８が、歯間乳頭部分１１４の頂部１１６より高い位置、すなわち、図１５Ｃにおいて、Ｄ３＜Ｄ２となる位置にあってもよい。
【００３１】
また、義歯床１００のソケットの形状としては、図１Ａ及び図１Ｂ並びに図２Ａ〜図２Ｅに示すような、ソケット頂部１３８を有し全体として凸な面で構成される基底面１３０を有するものとして全てのソケットを形成してもよいし、このような基底面１３０を有するソケットを従来の凹形状のソケットと混在させてもよい。このような異なる形状のソケットを混在させる例としては、たとえば前歯をこのような基底面１３０を有するソケットとし、臼歯を従来の凹形状ソケットとすることが挙げられる。
【００３２】
（義歯床用材料）
義歯床用材料としての義歯床１００の材質は、特に限定されない。ただし、後述するように、ＣＡＤ／ＣＡＭシステム（ＣＡＤ（Computer Aided Design）システムユニットと、ＣＡＭ（Computer Aided Manufacturing）システムユニットとを備えた製造システム）を用いた製造に適している点、及び、市販のアクリル系樹脂製のレジン歯との接着性に優れる点から、アクリル系樹脂が好ましい。
【００３３】
ここで、アクリル系樹脂とは、アクリル酸に由来する構造単位、メタクリル酸に由来する構造単位、アクリル酸エステルに由来する構造単位、及びメタクリル酸エステルに由来する構造単位からなる群から選択される少なくとも１種を含む重合体を指す。
【００３４】
すなわち、本明細書中におけるアクリル系樹脂は、アクリル酸、メタクリル酸、アクリル酸エステル、及びメタクリル酸エステルからなる群から選択される少なくとも１種（以下、「アクリル系単量体」とも称する）を含む単量体成分を重合して得られた重合体である。
【００３５】
アクリル系樹脂の原料の少なくとも一部であるアクリル系単量体は、単官能アクリル系単量体であってもよいし、多官能アクリル系単量体であってもよい。
【００３６】
単官能アクリル系単量体としては、アクリル酸、メタクリル酸、一分子中にアクリロイル基を１つ含むアクリル酸エステル、一分子中にメタクリロイル基を１つ含むメタクリル酸エステル、等が挙げられる。
【００３７】
多官能アクリル系単量体としては、一分子中にアクリロイル基を２つ以上含むアクリル酸エステル、一分子中にメタクリロイル基を２つ以上含むメタクリル酸エステル、等が挙げられる。
【００３８】
上記アクリル酸エステルとしては、アクリル酸アルキルエステルが好ましい。中でも、アルキルエステルの部位に含まれるアルキル基の炭素数が１〜４であるアクリル酸アルキルエステルがより好ましく、アクリル酸メチル、アクリル酸エチルがさらに好ましく、アクリル酸メチルが特に好ましい。
【００３９】
上記メタクリル酸エステルとしては、メタクリル酸アルキルエステルが好ましい。中でも、アルキルエステルの部位に含まれるアルキル基の炭素数が１〜４であるメタクリル酸アルキルエステルがより好ましく、メタクリル酸メチル、メタクリル酸エチルがさらに好ましく、メタクリル酸メチルが特に好ましい。
【００４０】
また、アクリル系樹脂は、反応性や生産性の観点から、単官能アクリル系単量体を含む単量体成分を重合して得られた重合体であることが好ましい。
【００４１】
アクリル系樹脂は、単官能アクリル系単量体を５０質量％以上（好ましくは８０質量％以上、より好ましくは９０質量％以上、さらに好ましくは９５質量％以上）含む単量体成分を重合して得られた重合体であることがより好ましい。
【００４２】
上記アクリル系樹脂として、特に好ましくは、メタクリル酸メチルに由来する構造単位を含む重合体であり、最も好ましくはメタクリル酸メチルの単独重合体（ポリメタクリル酸メチル、すなわち、ポリメチルメタクリレート（ＰＭＭＡ））である。
【００４３】
上記アクリル系樹脂は、耐衝撃性の観点から、ゴムを含んでいてもよい。
【００４４】
ゴムの種類としては、アクリル系ゴム、ブタジエン系ゴム、ブタジエン−アクリル系ゴム、ブタジエン−スチレン系ゴム、シリコーン系ゴム、等が挙げられる。
【００４５】
上記アクリル系樹脂がゴムを含む場合、ゴムの種類は、適宜物性を考慮して選択すればよいが、硬度、耐衝撃性等の諸物性のバランスを考慮すると、ブタジエン系ゴム又はブタジエン−アクリル系ゴムが好ましい。
【００４６】
義歯床１００は、審美性の観点から、歯肉に近い色調に着色されていてもよい。義歯床１００の着色には、たとえば、顔料、染料、色素などを使用すればよい。
【００４７】
義歯床１００は、全部床義歯（いわゆる総入れ歯）用の義歯床であってもよいし、局部床義歯（いわゆる部分入れ歯）用の義歯床であってもよい。
【００４８】
また、義歯床１００は、上顎用義歯の義歯床であってもよいし、下顎用義歯の義歯床であってもよいし、上顎用義歯床と下顎用義歯床とのセットであってもよい。
【００４９】
（義歯床の製造方法）
次に、義歯床１００の製造方法について説明する。
【００５０】
義歯床１００の製造にあたっては、一例としてＣＡＤ／ＣＡＭシステムを用いることができる。このＣＡＤ／ＣＡＭシステムによる製造工程を、「ＣＡＤ／ＣＡＭ工程」と称する。
【００５１】
ＣＡＤシステムユニットは、口腔内の３Ｄ表面形状情報と、人工歯２００の３Ｄ形状情報に基づき、コンピュータを用いて義歯床１００の形状情報をデジタルデータとして設計し、かつ、製作する。本実施形態では、このデジタルデータに、ソケット１２０の形状情報も含まれる。
【００５２】
ＣＡＭシステムユニットは、たとえばミリングマシンを有している。そして、ＣＡＭシステムユニットは、ＣＡＤシステムユニットにより形成された形状情報を取得し、ミリングマシンにより、義歯床１００を形成する。すなわち、ミリングマシンは、入力された義歯床１００の形状データに基づいて、前記の義歯床用材料で形成されたレジンブロックを切削加工して義歯床１００が得られる。
【００５３】
このように、本実施形態の義歯床の製造方法では、義歯床１００を形成する工程の少なくとも一部に、切削工程（たとえば、上記したミリングマシンによる切削）を含む。これにより、手作業等によってソケット１２０を成形する工程をなくすことができ、又は、ソケット１２０の形状の手作業等による修正を最小限にできる。
【００５４】
特に、切削によりソケット１２０を形成することで、ソケット１２０を高精度で形成できる
【００５５】
義歯床１００の製造システムでは、ＣＡＤシステムユニットによって得られた、義歯床１００の形状情報が含まれている。そして、この形状データに基づいて、ＣＡＭユニットにより、義歯床１００の材料を成形し、義歯床１００を製造する。このため、所望の形状の義歯床１００を、効率的に、高精度で形成できる。
【００５６】
特に、本実施形態では、義歯床１００の形状情報には、ソケット１２０の形状情報も含まれている。したがって、ソケット１２０を有する義歯床１００を、ミリングマシンを用いたＣＡＤ／ＣＡＭ工程のみにより形成してもよい。
【００５７】
なお、切削工程の一部に、作業者による手作業が含まれていてもよい。
【００５８】
また、義歯床１００の製造にあたっては、上記した製造システムのミリングマシンに代えて、３Ｄプリンタを有する製造システムでもよい。このような製造システムでは、ＣＡＭシステムユニットは、ＣＡＤシステムユニットにより形成された形状情報を取得し、ＣＡＭシステムユニットの一部である３Ｄプリンタを用いた３Ｄプリントにより、義歯床１００を形成する。３Ｄプリンタは、入力された義歯床１００の形状データに基づいて、一層ずつ、前記の義歯床用材料を積層することにより義歯床１００を成形する。３Ｄプリンタは、光造形方式、粉末焼結積層方式、熱溶解積層方式およびインクジェット方式のいずれの方式を採用するものであってもよい。
【００５９】
特に、本実施形態では、義歯床１００の形状情報には、ソケット１２０の形状情報も含まれている。したがって、たとえば、ソケット１２０を有する義歯床１００を、３Ｄプリンタを用いたＣＡＤ／ＣＡＭ工程のみにより形成してもよい。
【００６０】
このように、３Ｄプリントにより義歯床１００を形成する工程において、ソケット１２０の形状も含めて３Ｄプリンタのみで成形することができる。これにより、手作業等によってソケット１２０を成形する工程をなくすことができ、又は、ソケット１２０の形状の手作業等による修正を最小限にできる。
【００６１】
なお、義歯床１００の製造システムとしては、ＣＡＭユニットは、ミリングマシンと３Ｄプリンタの少なくともいずれか一方を有していればよく、両方を有していてもよい。
【００６２】
（人工歯の構成)
図４Ｂ〜図４Ｄに示すように、人工歯２００は、前記義歯床１００のソケット１２０の基底面１３０に接着される面としての、人工歯２００の基底面２３０を有する。なお、図４Ａ〜図４Ｄの人工歯２００は、図１Ａ及び図１Ｂに示す前記義歯床１００に装着されるものであって、咬合面を上向きにした状態で示してある。すなわち、図４Ａ〜図４Ｄの人工歯２００の上下方向は、図１Ａ及び図１Ｂの義歯床１００の上下方向と同じである。人工歯２００に関する以後の説明において言及する上下方向及び高低は、全てこの図４Ａ〜図４Ｄに示した状態での上下方向及び高低を意味する。
【００６３】
人工歯２００の基底面２３０は、対応するソケット１２０の基底面１３０に対応するように、全体として凹な面で構成されている。ここで、「全体として凹な面」とは、基本的には全体が凹な立体形状であるということを意味し、全体が凹曲面で形成されていることが望ましいが、前記ソケット１２０の基底面１３０の一部又は全部が平坦面で形成されている場合には、全体が凹形状に形成されていれば、その平坦面に対応する部分として平坦面で構成されていてもよい、ということを意味する。
【００６４】
この、全体として凹な面として構成されている人工歯２００の基底面２３０のうち、前記ソケット頂部１３８に対応する部分が一番高い位置にあり、この部分を基底面頂部２３８と称する（図４Ｄ参照）。この基底面頂部２３８は、歯列に沿った人工歯２００の両端Ｅ（図４Ａ〜図４Ｃ参照）を連結する谷状を呈する。ここで、この「両端」とは隣接する歯（人工歯又は自然歯を問わない）のある側をいう。なお、ここでいう「谷状」とは、人工歯２００の基底面２３０を仮に上向きにした場合、「谷」のような形状を呈していることを意味する。したがって、この人工歯２００が有床義歯３００の一部として実際に口腔中に装着された場合には、上顎用の有床義歯３００の場合はこの「谷」は一番低い位置にあり、下顎用の有床義歯３００の場合は逆に一番高い位置にあることになる。
【００６５】
人工歯２００の唇側の基底面２３２は、図４Ｄに示すように、唇側に向かって傾斜が連続的に下がる凹形状に形成されている。また、舌側の基底面２３４も、舌側に向かっても傾斜が連続的に下がる凹形状に形成されている。すなわち、この人工歯２００が装着される義歯床１００のソケット１２０の基底面１３０の辺縁部分１３６は、前記の通り、唇側及び舌側のいずれにおいても、歯肉部分１１０の段部１１２と連続的に当接している（図２Ｂ参照）。よって、このソケット１２０の基底面１３０の辺縁部分１３６の「連続的」な形状と対応して、人工歯２００の基底面２３０も同様に「連続的」な形状、すなわち、突起及び突条のような突出構造がない、ということとなっている。なお、図４Ｅに示すように、唇側の基底面２３２は、前記図２Ｃに示すソケット１２０の唇側の基底面１３２の形状に対応するように、平坦面として形成されていてもよい。また、図４Ｆに示すように、舌側の基底面２３４は、前記図２Ｄに示すソケット１２０の舌側の基底面１３４の形状に対応するように、平坦面として形成されていてもよい。さらに、図４Ｇに示すように、唇側の基底面２３２及び舌側の基底面２３４は、前記図２Ｅに示すソケット１２０の唇側の基底面１３２及び舌側の基底面１３４の形状にそれぞれ対応するように、両方とも平坦面として形成されていてもよい。
【００６６】
人工歯２００の唇側表面２０４（図４Ａ及び図４Ｄ参照）並びに舌側表面２０６（図４Ｂ、図４Ｃ及び図４Ｄ参照）は、各々その下端縁２０８までが連続面として形成されている。ここでいう「連続面」とは、従来の人工歯において、義歯床に埋設される部分である、所謂カラー部のような段部が下端縁２０８には形成されていないことを意味する。よって、人工歯２００の唇側表面２０４及び舌側表面２０６は各々その下端縁２０８までが、義歯床１００に装着された後でも視認可能となっている（図５参照）。
【００６７】
本実施形態においては、複数の人工歯２００が、義歯床１００の床部１０２において隣接して形成されるソケット１２０に配置される際には、これらの隣接する人工歯２００が互いに連結されていてもよい。具体的には、たとえば、図３のように人工歯２００を義歯床１００に配置させる場合において、それぞれの人工歯２００が接する部分において連結するようにしてもよい。
【００６８】
本実施形態においては、人工歯２００は、基底面頂部２３８が人工歯の側面方向から視認可能に構成されていることが好ましい。たとえば、図４Ｂ及び図４Ｃに示すように、人工歯２００を側面方向から視認した場合に、一方の側面側から他方の側面側までの基底面頂部２３８に接する線の占める空間が貫通しているため、基底面頂部２３８（図４Ｄ参照）が側面方向から視認可能となっている。
【００６９】
（人工歯の材料）
人工歯２００に用いられる材料としては、長石、石英、シリカ、アルミナ、ジルコニアなどのセラミック材料、又はマトリックスレジンとしてポリメチルメタクリレート（ＰＭＭＡ）やジメタクリレートを含み、その他に無機フィラーを含むコンポジットレジンや、アクリル系レジンなど通常歯科材料として用いられているレジン材料から適宜選択される。ジメタクリレートとしては、たとえば、ビスフェノールＡジグリシジルメタクリレート（Ｂｉｓ−ＧＭＡ）、トリエチレングリコールジメタクリレート（ＴＥＧＤＭＡ）、ウレタンジメタクリレート（ＵＤＭＡ）が挙げられる。
【００７０】
なお、人工歯２００の審美性を向上させるため、エナメル層用と象牙質用の２色以上の色調の異なる材料を使用して複数層に分け積層してもよい。また、２つの異なる材料に色調を変えたものを準備して組み合わせてもよく、同じ材質で色調を変えたものを準備して用いてもよい。
【００７１】
人工歯２００としては、アクリル系のレジン歯、アクリル系の硬質レジン歯、セラミック歯が挙げられる。ここで、義歯床１００への接着を強固にする観点から、アクリル系のレジン歯及び硬質レジン歯が好ましい。
【００７２】
人工歯２００の成形方法としては、圧縮成形、射出成形、射出圧縮成形等により成形してもよいし、たとえば人工歯用材料のブロック体からＣＡＤ／ＣＡＭ等により切削して成形してもよく、３Ｄプリンタ等により積層して成形してもよい。
【００７３】
（人工歯の義歯床への装着）
図５に示すように、人工歯２００は、ソケット１２０の基底面１３０を覆うようにして、義歯床１００に固定されて装着される。この際、前述のように、人工歯２００の唇側表面２０４は連続面として形成されているため、その下端縁２０８までが歯肉部分１１０に埋没せずに、歯肉部分１１０と面一の状態で外部から視認可能となっている。図示しない舌側表面２０６についても同様である。
【００７４】
具体的には、前記義歯床用材料を前記の通り切削する切削工程により、又は、前記の通り３Ｄプリントによる工程により、前記義歯床１００を得ることができる。この義歯床１００の前記ソケット１２０に前記人工歯２００を装着する装着工程で全ての人工歯２００が固定して装着され、図６に示す有床義歯３００が製造される。有床義歯３００においては、図７Ａの断面図に示すように、ソケット１２０の基底面１３０に、人工歯２００の基底面２３０が固定され、上顎の顎堤Ｒを義歯床１００の床部１０２の凹部１０４に嵌入させた状態で装着される。そして、上述のように、人工歯２００の唇側表面２０４及び舌側表面２０６のいずれの下端縁２０８も、歯肉部分１１０に埋没せず、外面から視認可能となっている。
【００７５】
ここで、図７Ｂに示す比較例の有床義歯７００のように、ソケット５２０が従来例のように陥凹していると、その分だけ義歯床５００の床部５０２を薄くせざるを得ないことは自明である。よって、患者によって顎堤Ｒが高い場合には、人工歯６００の歯根部分６３０が顎堤Ｒに当たらないようにするためには、床部５０２を厚くして、その分だけ、人工歯６００がソケット５２０に固定される歯根部分６３０を削る必要がある。そのため、人工歯６００とソケット５２０との固定度が不十分となるおそれもある。
【００７６】
一方、本実施形態においては、図７Ａからも明らかなように、ソケット１２０を凸形状にして、人工歯２００をこれに載置するように固定しているため、顎堤Ｒが高くても人工歯２００がソケット１２０に固定される部分を削る必要はない。
【００７７】
これにより、本実施形態によると、製造上の負担を軽減可能な義歯床及びそれに埋設される人工歯並びにこれらを備えた有床義歯が提供できる。たとえば、上述のように、義歯床の厚みを薄くしつつ、人工歯のカラー部をあらかじめ切削しなくても済むようになる。より具体的には、たとえば、本実施形態によると、人工歯が義歯床に埋設される部分が少ないため、顎堤が高い患者向けの有床義歯でも人工歯を切削する工程を大幅に減らし、あるいはなくすことができる。また、義歯床の基底面が凸形状になるために人工歯との接着面積が増大し、人工歯の固定力を上げることができる。
【００７８】
上記装着工程は、人工歯２００を義歯床１００に接着する工程、すなわち接着工程でもある。人工歯２００を義歯床１００に接着するための接着剤（レジン）としては、たとえば、アクリル系レジンを用いることができる。アクリル系レジンとしては、義歯床１００と人工歯２００との本接着が可能なものであれば特に限定されず、市販品を用いてもよい。すなわち、接着工程は、アクリル系レジンを用いて人工歯２００を義歯床１００に本接着する工程（以下、「本接着工程」とも称する）であることが好ましい。なお、ここでいう義歯床１００と人工歯２００との本接着とは、有床義歯３００としての使用が可能な程度に人工歯２００が義歯床１００に固定して装着されていることをいう。
【００７９】
本接着工程で用いるアクリル系レジンとしては、たとえば、常温（０℃〜３５℃）で重合するレジン、熱を加えて重合するレジン、光で重合するレジンが挙げられる。常温（０℃〜３５℃）で重合するレジン又は熱を加えることで重合するレジンとしては、たとえば、比較的低い温度（好ましくは０℃〜７０℃）で重合が進行するアクリル系レジン、７０℃以上で重合が進行するアクリル系レジンが挙げられる。なお、以下において比較的低い温度（好ましくは０℃〜７０℃）で重合が進行するアクリル系レジンを「特定アクリル系レジン」と称する。
【００８０】
アクリル系レジンとしては、ポリマー粉とモノマー液とを混合させたものを用いてもよい。ソケット１２０と人工歯２００との隙間にアクリル系レジンを注入する場合、混合直後の低粘度の状態であれば、注入が容易である。ポリマー粉としては、ポリメタクリル酸メチルなどのアクリル系樹脂が挙げられ、モノマー液としては、メタクリル酸メチル、メタクリル酸エチルなどのメタクリル酸エステルが挙げられる。また、アクリル系レジンは、他の成分として、４−ＭＥＴＡ（４−メタクリルオキシエチルトリメリット酸無水物）などの拡散促進モノマー、ＴＢＢ（トリ−ｎ−ブチルボラン）などの常温重合開始剤（あるいは、熱重合開始剤）、重合禁止剤、着色剤などを含んでいてもよい。
【００８１】
また、市販のアクリル系レジンとしては、たとえば、アクロン（株式会社ジーシー製）、パラエクスプレスウルトラ（ヘレウスクルツァー社製）、山八歯科工業株式会社製リファインブライトなどが挙げられる。
【００８２】
前記装着工程は、人工歯２００を義歯床１００に予備接着する工程（以下、「予備接着工程」とも称する）を含んでもよい。ここでいう、予備接着とは、人工歯２００と義歯床１００との位置関係が維持される程度に人工歯が義歯床に装着されていて、必要に応じてその位置関係を修正したり、又は接着状態を容易に解消したりできることをいう。
【００８３】
人工歯２００を義歯床１００に予備接着する方法としては、たとえば、歯科用複合レジン又はアクリル系レジンを用いて、ソケット１２０の少なくとも一部について、人工歯２００との間の隙間に上記レジン（歯科用複合レジン又はアクリル系レジン）を注入し、注入された上記レジンを常温（０℃〜３５℃）で重合させる、加熱して重合させる、又は光（たとえば可視光）で重合させる方法が挙げられる。
【００８４】
予備接着工程で用いるレジンとしては、歯科用複合レジン又はアクリル系レジンが挙げられる。予備接着工程で用いるアクリル系レジンとしては、本接着工程で用いるアクリル系レジンと同様のものが挙げられるが、中でも、特定アクリル系レジン（比較的低い温度（好ましくは０℃〜７０℃）で重合が進行するアクリル系レジン）が好ましい。歯科用複合レジンについては後述する。
【００８５】
接着工程が予備接着工程を有することにより、予備接着に用いるレジンの重合が進行するまで（たとえば光重合性レジンの場合には光硬化後まで）、人工歯２００の配列の修正や、形状調整が必要な人工歯２００がある場合には、その対象の人工歯２００の取り外し等を行うことができる。
【００８６】
また、予備接着工程は、本接着に用いるレジンの量をより適切に調整する観点から、人工歯２００を、義歯床１００のソケット１２０の少なくとも一部に予備接着する工程であることが好ましい。
【００８７】
なお、歯科用複合レジンとしては、人工歯２００と義歯床１００との予備接着が可能なものであれば特に限定されず、たとえば、成形修復材料、歯冠補綴用材料、歯科用充填剤などのコンポジットレジン（修復材料）、自己接着性セメントなどを用いることができる。
【００８８】
コンポジットレジンは、たとえば、マトリックスレジンとしてジメタクリレートを含み、その他に無機フィラー、シランカップリング剤などを含んでいてもよい。ジメタクリレートとしては、たとえば、ビスフェノールＡジグリシジルメタクリレート（Ｂｉｓ−ＧＭＡ）、トリエチレングリコールジメタクリレート（ＴＥＧＤＭＡ）、ウレタンジメタクリレート（ＵＤＭＡ）が挙げられる。
【００８９】
自己接着性セメントとしては、たとえば、マトリックスレジンとしてポリメチルメタクリレート（ＰＭＭＡ）や前述のジメタクリレートを含み、その他に接着性物質、フィラーなどを含んでいてもよい。
【００９０】
また、コンポジットレジンとしては、低粘度及び低弾性であるフロアブルタイプ、高粘度及び高弾性であるペーストタイプなどが挙げられるが、義歯床１００のソケット１２０が全体として凸な面で構成されていることに鑑み、ある程度の粘度及び弾性を有するペーストタイプが好ましい。
【００９１】
また、人工歯２００の位置調整をより好適に可能とする点から、光重合性のコンポジットレジンを用いることが好ましい。光重合性のコンポジットレジンを用いることにより、義歯床のソケット部に注入されたコンポジットレジンが光照射前にて硬化しないため、取り扱い性に優れ、人工歯の位置調整を精度良く行いやすい。また、光重合性のコンポジットレジンを用いることにより、硬化後の接着（予備接着）は、接着力が比較的弱いため、容易に義歯床１００からの人工歯２００の取り外しが可能であり、また、人工歯２００を取り外した後、義歯床１００のソケット１２０にコンポジットレジンを塗布して義歯床１００と人工歯２００との再度の接着（予備接着）を行いやすい。そのため、人工歯２００のシェード（色調）を間違えた場合や硬化操作時に人工歯２００の位置にズレが生じた場合などに、硬化後であっても容易に義歯床１００からの人工歯２００の取り外しが可能となるため、再度接着（予備接着）することによる位置調整を行いやすい。
【００９２】
光重合性のコンポジットレジンとしては、たとえば、アクリル酸エステル又はメタアクリル酸エステルなどの重合性化合物、無機充填剤、光重合開始剤などを含むものであってもよく、さらに、重合促進剤を含むものであってもよい。
【００９３】
また、市販のコンポジットレジンとしては、たとえば、ビューティフィルＩＩ（株式会社松風製）、レボテック（株式会社ジーシー製）などが挙げられる。
【００９４】
なお、装着工程（接着工程）において接着剤により人工歯２００を義歯床１００に装着する前に、仮固定材を用いて、人工歯２００が義歯床１００に仮固定されていてもよい。このような仮固定によっても、人工歯２００と義歯床１００との位置関係が維持される程度に、人工歯２００が義歯床１００に一時的に固定される。なお、仮固定の後に、装着工程として、予備接着を行わずに本接着を行ってもよい。
【００９５】
仮固定材を用いる場合、仮固定材としては、たとえば、２５℃（常温）で変形する粘着性材料を用いることができる。粘着性材料としては、たとえば、ウレタン系樹脂、アクリル系樹脂、シリコーン系樹脂、塩化ビニル系樹脂、ビニルアルコール系樹脂、ビニルアルキルエーテル系樹脂若しくはアクリルアミド系樹脂等の樹脂又は天然ゴム、シリコーン系ゴム又はスチレン−ブタジエン共重合エラストマー等のゴムが挙げられる。さらに、粘着性材料としては、たとえば、パテ（たとえば模型製作用パテ、歯科用パテ）、タックラベル、小麦粉粘土、粘着性金属箔テープを用いてもよい。
【００９６】
パテとは、窪み、割れ、穴等を充填するために用いられる材料のことをいう。パテは、一般に顔料、樹脂（不揮発性展色剤）、揮発性物質を含む。
【００９７】
パテとしては、エポキシパテ、ポリエステルパテ、シリコーンパテ若しくはこれらの変性パテ等の１成分型（１液性）若しくは多成分型（２液性等）のパテ、ラッカーパテ、瞬間接着パテ、石膏パテ、炭酸カルシウムパテ又は光硬化型パテ等が挙げられる。
【００９８】
タックラベルとは、基材の裏面に粘着性材料が設けられたラベルをいい、その粘着性材料の側が仮固定される部位（たとえば歯冠及び歯根の境界付近）に配置されて用いられる。
【００９９】
基材の材質は特に制限されない。基材の裏面に設けられる粘着性材料としては、たとえば上記樹脂、上記ゴムが挙げられる。
【０１００】
また、金属箔テープとしては、公知の粘着性金属箔テープを用いることができる。
【０１０１】
粘着性材料の中でも、仮固定材除去後の有床義歯３００への残付着が少ない観点から、パテが好ましく、歯科用パテがより好ましく、歯科用シリコーンパテがさらに好ましい。特に、歯科用パテ（好ましくは歯科用シリコーンパテ）を用いると、変形時の戻りが少ないので、人工歯２００の位置調整が容易に行える。また、仮固定時における人工歯２００と義歯床１００との位置関係が保持されやすい。
【０１０２】
上記粘着性材料は、１種単独で用いてもよく、２種を併用してもよい。
【０１０３】
仮固定材の形状としては、人工歯２００を義歯床１００に仮固定できる形状であれば特に制限されず、種々の形状が採用され得る。
【０１０４】
なお、本実施形態においては、図７Ａに示すように、義歯床１００のソケット１２０の基底面１３０を全体として凸な面で構成し、人工歯２００の基底面２３０を全体として凹な面として構成したが、図１６に示すように、ソケット１２０の基底面１３０の一部に陥入部１６０があってもよく、人工歯２００の基底面２３０の一部にこれに対応する突出部２４０があってもよい。
【０１０５】
すなわち、本開示において、ソケット１２０の基底面１３０についての「全体として凸な面」とは、図１６に示すようにソケット１２０の基底面１３０の一部に上記陥入部１６０のような凹形状があるものも含む。また、人工歯２００の基底面２３０について「全体として凹な面」とは、図１６に示すように人工歯２００の基底面２３０の一部に上記突出部２４０のような凸形状があるものも含む。
【０１０６】
ただし、図１６に示すように、人工歯２００の基底面２３０の一部をなす突出部２４０は、人工歯２００の唇側表面２０４及び舌側表面２０６の双方から隠れる程度の突起として構成される。また、図１６に示すように、義歯床１００のソケット１２０の基底面１３０の一部をなす陥入部１６０は、人工歯２００の基底面２３０の一部をなす突出部２４０が嵌合するような窪みとして構成される。
【０１０７】
換言すると、人工歯２００の突出部２４０は、人工歯２００を義歯床１００に装着させた際に、人工歯２００の唇側表面２０４の下端縁２０８及び舌側表面２０６の下端縁２０８を通る直線ｄを越えない程度の大きさである。同様に、ソケット１２０の基底面１３０の陥入部１６０も、人工歯２００を義歯床１００に装着させた際に、人工歯２００の唇側表面２０４の下端縁２０８及び舌側表面２０６の下端縁２０８を通る直線ｄを越えない程度の大きさである。
【０１０８】
なお、ソケット１２０の基底面１３０においてこのような陥入部１６０は２個以上設けられていてもよく、人工歯２００の基底面２３０においてこのような突出部２４０は、２つ以上あってもよい。ただし、いずれの陥入部１６０及びいずれの突出部２４０も、上記したように、人工歯２００を義歯床１００に装着させた際に、人工歯２００の唇側表面２０４の下端縁２０８及び舌側表面２０６の下端縁２０８を通る直線ｄを越えない程度の大きさである。
【０１０９】
もちろん、図７Ａに示すように、義歯床１００のソケット１２０の基底面１３０には上記のような陥入部１６０は必ずしも設けられていなくてもよく、また、人工歯２００の基底面２３０には上記のような突出部２４０は必ずしも設けられていなくてもよい。
【０１１０】
［第二実施形態］
第二実施形態の有床義歯３００は、図８Ａ及び図８Ｂに示すように義歯床１００のソケット１２０の基底面１３０におけるソケット頂部１３８から突起部１２２が突出している点、及び、図９Ａ及び図９Ｂに示すように人工歯２００の基底面２３０における基底面頂部２３８に前記突起部１２２に対応する陥凹部２０２が設けられている点以外の構成、材質及び製造方法は第一実施形態の有床義歯３００と同様である。
【０１１１】
そして、義歯床１００に人工歯２００を装着する際には、人工歯２００の陥凹部２０２に、義歯床１００の突起部１２２を嵌め込みつつ、前記第一実施形態と同様に、ソケット１２０の基底面１３０と人工歯２００の基底面２３０とを接着する。
【０１１２】
この有床義歯３００においては、図１０の断面図に示すように、人工歯２００の陥凹部２０２に義歯床１００の突起部１２２が嵌合している。このような嵌合によって、人工歯２００の義歯床１００に対する固定度が増強される。その他の点は前記第一実施形態の有床義歯３００と同様である。
【０１１３】
［第三実施形態］
第三実施形態の有床義歯３００は、図１１Ａ及び図１１Ｂに示すように義歯床１００のソケット１２０の基底面１３０におけるソケット頂部１３８から突起部１２２が突出している点、及び、図１２Ａ及び図１２Ｂに示すように人工歯２００の基底面２３０における基底面頂部２３８に前記突起部１２２に対応する陥凹部２０２が設けられている点は前記第二実施形態と同様である。その他に、図１２Ｂに示すように、舌側表面２０６の中央部に切欠部２１０が設けられている。さらに、図１１Ｂに示すように、義歯床１００において舌面側の基底面１３４に、前記切欠部２１０に嵌合する隆起部１４０が形成されている。これら以外の構成、材質及び製造方法は第一実施形態の有床義歯３００と同様である。
【０１１４】
そして、義歯床１００に人工歯２００を装着する際には、人工歯２００の陥凹部２０２に、義歯床１００の突起部１２２を嵌め込み、同時に、人工歯２００の切欠部２１０に義歯床１００の隆起部１４０を嵌め込みつつ、前記第一実施形態と同様に、ソケット１２０の基底面１３０と人工歯２００の基底面２３０とを接着する。
【０１１５】
この有床義歯３００においては、図１３の断面図に示すように、人工歯２００の陥凹部２０２に義歯床１００の突起部１２２が嵌合し、かつ、人工歯２００の切欠部２１０に義歯床１００の隆起部１４０が嵌合している。このような嵌合によって、人工歯２００の義歯床１００に対する固定度がより増強される。その他の点は前記第一実施形態の有床義歯３００と同様である。
【０１１６】
［第四実施形態］
第四実施形態に係る有床義歯３００は、図１４に示すように部分義歯である。この有床義歯３００においても前記第一実施形態と同様に、義歯床１００のソケット（図示せず）に人工歯２００が装着されている。この状態で、人工歯２００の唇側表面２０４（及び図示しない舌側表面）の下端縁２０８は、歯肉部分１１０と面一の状態で外部から視認可能となっている。そして、人工歯２００の歯列に沿った両端には、隣接する自然歯に対して有床義歯３００を係止させるためのクラスプ１５０が設けられている。
【産業上の利用分野】
【０１１７】
本発明は、義歯床及び人工歯並びにこれらを組み合わせてなる有床義歯に利用可能である。
【図１Ａ】
0006781816.tif 000002
【図１Ｂ】
0006781816.tif 000003
【図２Ａ】
0006781816.tif 000004
【図２Ｂ】
0006781816.tif 000005
【図２Ｃ】
0006781816.tif 000006
【図２Ｄ】
0006781816.tif 000007
【図２Ｅ】
0006781816.tif 000008
【図３】
0006781816.tif 000009
【図４Ａ】
0006781816.tif 000010
【図４Ｂ】
0006781816.tif 000011
【図４Ｃ】
0006781816.tif 000012
【図４Ｄ】
0006781816.tif 000013
【図４Ｅ】
0006781816.tif 000014
【図４Ｆ】
0006781816.tif 000015
【図４Ｇ】
0006781816.tif 000016
【図５】
0006781816.tif 000017
【図６】
0006781816.tif 000018
【図７Ａ】
0006781816.tif 000019
【図７Ｂ】
0006781816.tif 000020
【図８Ａ】
0006781816.tif 000021
【図８Ｂ】
0006781816.tif 000022
【図９Ａ】
0006781816.tif 000023
【図９Ｂ】
0006781816.tif 000024
【図１０】
0006781816.tif 000025
【図１１Ａ】
0006781816.tif 000026
【図１１Ｂ】
0006781816.tif 000027
【図１２Ａ】
0006781816.tif 000028
【図１２Ｂ】
0006781816.tif 000029
【図１３】
0006781816.tif 000030
【図１４】
0006781816.tif 000031
【図１５Ａ】
0006781816.tif 000032
【図１５Ｂ】
0006781816.tif 000033
【図１５Ｃ】
0006781816.tif 000034
【図１６】
0006781816.tif 000035